(57)【特許請求の範囲】
【請求項１】
シート材に印刷された型紙から立体模型が形成されるペーパークラフトであって、
前記シート材には型紙として、
前記立体模型を載せる台座部と、
前記台座部に立てる円筒状の支柱部と、
前記立体模型の部位を構成するとともに前記支柱部に挿し込ませる複数のパート部と、
前記支柱部と前記台座部との間に介在させるジョイント部とが設けられ、
前記パート部は、前記支柱部を中心に回転可能となることを特徴とするペーパークラフト。
【請求項２】
前記ジョイント部は、下端面が放射状に形成され、前記台座部の穴に前記ジョイント部を下方から通し、前記台座部の上方に突出されたジョイント部に前記支柱部を挿し込むことを特徴とする請求項１に記載のペーパークラフト。
【請求項３】
前記パート部の少なくとも１つは、外殻の一面が三層構造となっており、前記三層構造の最外層には切抜部が形成されるとともに、中間層は前記切抜部に対して露出量が調整可能な可動部であることを特徴とする請求項１又は２に記載のペーパークラフト。
【請求項４】
前記パート部には、それぞれ前記支柱部の外径より僅かに大きい内径の挿通穴が設けられることを特徴とする請求項１乃至３のいずれか一項に記載のペーパークラフト。
【請求項５】
シート材に印刷された型紙から立体模型が形成されるペーパークラフトであって、
前記シート材には型紙として、
前記立体模型を載せる台座部と、
前記台座部に立てる円筒状の支柱部と、
前記立体模型の部位を構成するとともに前記支柱部に挿し込ませる複数のパート部とが設けられ、
前記パート部は、前記支柱部を中心に回転可能であるとともに、
前記パート部の少なくとも１つは、外殻の一面が三層構造となっており、前記三層構造の最外層には切抜部が形成されるとともに、中間層は前記切抜部に対して露出量が調整可能な可動部であることを特徴とするペーパークラフト。
【発明の詳細な説明】
【技術分野】
【０００１】
本発明は、シート材に印刷された型紙から立体模型が形成されるペーパークラフトに関するものである。
【背景技術】
【０００２】
特許文献１に開示されているように、一枚の紙に印刷された型紙を切り抜き、切り抜かれた各パーツを組み合わせることで、ロボットや人形などの立体模型が製作できることが知られている。
【０００３】
特許文献１に開示されたペーパークラフトでは、穴にストッパーを挿し込むことによって部位同士を接続していくため、穴とストッパーとの間に隙間があれば、挿し込んだ部位を少しは動かすことができる。
【０００４】
一方、特許文献２に開示されている折紙製ロボット玩具では、頭部と身体部及び身体部と手部とを円柱状の紙製連接筒によって接続させるため、頭部や手部を自由に回転させることができる。
【先行技術文献】
【特許文献】
【０００５】
【特許文献１】実開昭５９−７６２９４号公報
【特許文献２】実開昭５６−８１７８１号公報
【発明の概要】
【発明が解決しようとする課題】
【０００６】
しかしながら特許文献２に開示されている立体模型では、回転させたい関節に該当する箇所毎に紙製連接筒を挿し込まなければならず、細かい部品が多くなり組み立てに手間がかかる。
【０００７】
また、立体模型の中では紙製連接筒は小さいパーツになるため、挿し込みや固定などの組み付けが難しいうえに、可動時に外れたり損傷したりするおそれがある。
【０００８】
そこで、本発明は、複数の部位を簡単な構造で回転させることができるうえに、可動に対する耐久性の高いペーパークラフトを提供することを目的としている。
【課題を解決するための手段】
【０００９】
前記目的を達成するために、本発明のペーパークラフトは、シート材に印刷された型紙から立体模型が形成されるペーパークラフトであって、前記シート材には型紙として、前記立体模型を載せる台座部と、前記台座部に立てる円筒状の支柱部と、前記立体模型の部位を構成するとともに前記支柱部に挿し込ませる複数のパート部とが設けられ、前記パート部は、前記支柱部を中心に回転可能となることを特徴とする。
【００１０】
ここで、前記シート材には型紙として、前記支柱部と前記台座部との間に介在させるジョイント部が設けられる構成とすることができる。例えば、前記ジョイント部は、下端面が放射状に形成され、前記台座部の穴に前記ジョイント部を下方から通し、前記台座部の上方に突出されたジョイント部に前記支柱部を挿し込む構成であってもよい。
【００１１】
また、前記パート部には、それぞれ前記支柱部の外径より僅かに大きい内径の挿通穴が設けられる構成とすることができる。
【００１２】
さらに、前記パート部の少なくとも１つは、外殻の一面が三層構造となっており、前記三層構造の最外層には切抜部が形成されるとともに、中間層は前記切抜部に対して露出量が調整可能な可動部となる構成にすることができる。
【発明の効果】
【００１３】
このように構成された本発明のペーパークラフトは、台座部に立てる円筒状の支柱部に対して、立体模型の部位を構成する複数のパート部を挿し込んでいく。
【００１４】
このため、支柱部に挿し込まれたパート部は、支柱部を中心に回転させることができる。すなわち、複数の部位を１本の支柱部を中心に回転させることができる。
【００１５】
複数の部位の回転の中心が１本の支柱部であれば、簡単に組み立てることができる。また、比較的に太くできる支柱部を中心に回転させるため、可動に対する耐久性を高めることができる。
【００１６】
さらに、支柱部と台座部との間にジョイント部を介在させることによって、回転動作などで支柱部に外力が作用した場合にも、ジョイント部が緩衝材となって台座部に伝達されるので、倒れたり損傷したりすることを防ぐことができる。
【００１７】
特に、ジョイント部の下端面を放射状に形成し、台座部の穴に下方から通したジョイント部の突出部に支柱部を挿し込む構成であれば、弱い接着力でも支柱部を安定させることができる。
【００１８】
また、パート部のそれぞれに、支柱部の外径より僅かに大きい内径の挿通穴が設けられていれば、パート部を動かしたいときにだけ回転させて、所望する姿勢で維持させておくことが容易にできる。
【００１９】
さらに、パート部の外殻の一面を三層構造とし、中間層を最外層の切抜部に対して露出量が調整可能な可動部とすることで、瞳に対する瞼の開き具合などの様々な表情を持たせることが可能になる。
【図面の簡単な説明】
【００２０】
【図１】本実施の形態のペーパークラフトの組み立て方法を説明する説明図である。
【図２】本実施の形態のペーパークラフトが印刷されたシート材の構成を説明する平面図である。
【図３】台座部に支柱部を組み付ける方法を説明する斜視図である。
【図４】脚部の上に腰部を組み付ける方法を説明する斜視図である。
【図５】顔部の三層構造を説明するための分解斜視図である。
【図６】可動部の操作による顔部の変化を説明する斜視図であって、（ａ）は可動部を下げた状態を示した図、（ｂ）は可動部を途中まで引き上げた状態を示した図、（ｃ）は可動部をさらに引き上げた状態を示した図である。
【図７】ペーパークラフトの完成形を例示した斜視図である。
【発明を実施するための形態】
【００２１】
以下、本発明の実施の形態のペーパークラフトについて図面を参照して説明する。図１は、本実施の形態のペーパークラフトの組み立て方法の概念を示した説明図である。
【００２２】
また、図２は、ペーパークラフトである人形模型１となる型紙が印刷されたシート材１１の表面側を示した図である。この型紙をシート材１１から切り抜いて組み付けると、立体模型となる人形模型１が形成される。
【００２３】
シート材１１には、紙が使用できる。なおシート材１１は、紙に限定されるものではなく、合成樹脂などのシート、膜、薄板など、厚みが薄い可撓性の面状材であればよい。
【００２４】
このシート材１１には、少なくとも表面に、型紙及び人形模型１の露出面として必要となる図や文字情報などの印刷が施されている。また、シート材１１の裏面にも、組み立て方法や広告などの図や文字情報などの印刷を施すことができる。
【００２５】
シート材１１には、図２に示すように型紙として、人形模型１を載せる台座部２と、台座部２に立てる円筒状の支柱部３と、人形模型１の各部位を構成する複数のパート部（５，６，７，８）とが主に設けられている。
【００２６】
台座部２となる型紙には、３つの正方形が並んで印刷される。そして、それぞれの正方形が折り重なるように型紙を折り曲げると、台座部２の上層２１と中層２２と下層２３とが形成される。
【００２７】
上層２１の中央には、後述するジョイント部４を通すための正方形の穴２１ａの位置を示す印刷が施される。この穴２１ａや台座部２の外縁のように、切取線となる箇所は、例えば点状にアンカット部を残して予め切り込ませておくことができる。また、ミシン目状の切取線や印刷のみの切取線であってもよい。以下、各型紙の切取線については、同様の構成となる。
【００２８】
一方、支柱部３となる型紙には、円筒状の周面となる長方形部分と、片側の側縁から張り出される糊代３１とが設けられる。支柱部３の周面は、組み立て後に露出しないが、必要に応じて肌色などの印刷を施しておくことで、回転動作時に露出しても目立たないようにすることができる。
【００２９】
また、シート材１１には型紙として、支柱部３と台座部２との間に介在させるジョイント部４も設けられる。このジョイント部４は、四角筒状に形成される突出部４１と、突出部４１の下端面に放射状に形成される放射部４２とによって主に構成される。
【００３０】
ジョイント部４の台座部２から上方に突出される突出部４１は、図３に示すように、糊代４３の接着によって四角筒状に形成される。この突出部４１の対角線の長さは、支柱部３の内径の長さより短くなっており、ジョイント部４に支柱部３を挿し込んで突出部４１を収容させることができる。
【００３１】
支柱部３に挿し込ませる複数のパート部には、脚部５と、腰部６と、胸部７と、頭部８とがある。以下、順を追ってシート材１１に設けられるそれぞれの型紙について説明する。
【００３２】
脚部５の型紙は、扇形状に設けられる。脚部５は、図４に示すように、下側が先細りする截頭円錐状に形成される。筒状の脚部５は、糊代５１による接着によって形成される。
【００３３】
また、脚部５の上端面からは、一対の挿込片５２，５２が上方に向けて突出される。この挿込片５２，５２は、脚部５を腰部６に接続させて、一体に回転させるために使用される。
【００３４】
腰部６は、下面部６１と上面部６３とによって上下に蓋がされた截頭円錐状に形成される。下面部６１は、中央に支柱部３を挿し込むための挿通穴６１ａが設けられた円環状に形成される。
【００３５】
挿通穴６１ａの両脇には、脚部５の挿込片５２，５２を挿し込むためのスリット６１ｂ，６１ｂがそれぞれ設けられる。図２に示すように扇形に形成される周面部６２の片側の側縁には糊代６４Ａが設けられるとともに、下側円弧と上側円弧に沿って、間隔を置いて糊代６４Ｂ，・・・，６４Ｃ，・・・がそれぞれ設けられる。
【００３６】
また、上面部６３も、中央に支柱部３を挿し込むための挿通穴６３ａが設けられた円環状に形成される。下面部６１は糊代６４Ｂ，・・・によって周面部６２に接合され、上面部６３は糊代６４Ｃ，・・・によって周面部６２に接合される。
【００３７】
一方、胸部７は、截頭円錐状の周面部７２の上に、同じく截頭円錐状の上周面部７２１が繋がれた楕円体状に形成される。扇形に形成される周面部７２の片側の側縁には糊代７４Ａが設けられるとともに、上周面部７２１の片側の側縁にも糊代７４Ｂが設けられる。
【００３８】
また、下面部７１は、中央に支柱部３を挿し込むための挿通穴７１ａが設けられた円環状に形成される。さらに、上面部７３は、中央に支柱部３を挿し込むための挿通穴７３ａが設けられた円環状に形成される。
【００３９】
そして、下面部７１は糊代７４Ｃ，・・・によって周面部７２に接合され、上面部７３は糊代７４Ｅ，・・・によって上周面部７２１に接合される。また、周面部７２と上周面部７２１とは、糊代７４Ｄ，・・・によって接合される。
【００４０】
また、上周面部７２１の肩位置には、それぞれスリット７２２，７２２が設けられる。このスリット７２２には、図１に示すように腕部７５の上端の挿込片７５１が挿し込まれる。
【００４１】
続いて頭部８は、前面となる顔部８１と、支柱部３に挿し込まれる下面部８２と、上部及び側部を形成する毛髪部８３とによって主に構成される。下面部８２の中央には、図２に示すように支柱部３を通すための挿通穴８２ａが設けられる。
【００４２】
頭部８は、外殻の一面となる顔部８１が、図５に示すように三層構造となっている。三層構造は、最も表面側に配置される最外層８１１と、中間層となる可動部８１２と、下地層８１３とが前後方向に積層されて構成される。
【００４３】
最外層８１１では、目に該当する箇所が切抜部８１１ａ，８１１ａとなって穴が穿孔される。また、最外層８１１の上部中央からは、栞状に保持片８１１ｂが突出される。
【００４４】
そして、最外層８１１の背面に重ねられる可動部８１２は、最外層８１１及び下地層８１３のいずれにも接着されずに、上下方向の移動が可能な可動部材となる。
【００４５】
この可動部８１２は、切抜部８１１ａ，８１１ａから視認可能となる瞼部８１２ａ，８１２ａと、上部中央から栞状に突出される操作片８１２ｂとによって主に構成される。
【００４６】
可動部８１２は、最外層８１１との上下方向の相対的な位置関係によって、切抜部８１１ａ，８１１ａに対する露出量を調整することができる。可動部８１２の瞼部８１２ａ，８１２ａの位置によって、下地層８１３の露出量も変化することになる。
【００４７】
下地層８１３は、可動部８１２を挟んで最外層８１１の背面に接着される。詳細には、下地層８１３の両側縁の糊代８１３ａ，８１３ａと、上縁の両脇の糊代８１３ｂ，８１３ｂとが、最外層８１１の背面に接着される。
【００４８】
接着後の最外層８１１と下地層８１３との間には、可動部８１２が上下できるだけの隙間が形成される。図６には、可動部８１２と最外層８１１との相対的な位置関係の違いによる顔部８１の表情の変化を示している。
【００４９】
図６(ａ)は、可動部８１２が最も下がった状態を示している。この状態では、切抜部８１１ａ，８１１ａは、可動部８１２の瞼部８１２ａ，８１２ａによって覆われてしまうので、顔部８１は目を閉じた表情になる。
【００５０】
一方、図６（ｂ）に示すように、保持片８１１ｂを持って最外層８１１が移動しないようにしながら、可動部８１２の操作片８１２ｂを途中まで引き上げると、顔部８１は半眼した表情になる。
【００５１】
さらに操作片８１２ｂを引き上げると、図６（ｃ）に示すように下地層８１３に印刷された瞳が完全に切抜部８１１ａ，８１１ａから露出されて、顔部８１は目を開いた表情になる。すなわちこの状態では、瞼部８１２ａ，８１２ａは完全に最外層８１１の背面に隠れている。
【００５２】
この顔部８１の上方に突出させる保持片８１１ｂ及び操作片８１２ｂは、図２に示した毛髪部８３のスリット８４に挿し込まれて、図１に示すように頭部８の上方に突出される。
【００５３】
この頭部８は、糊代８５Ａ−８５Ｊを所定の位置に接着させることで形成される。また、独立した型紙となるエクステ部８３１は、後頭部８３２に貼り付けられる。
【００５４】
次に、本実施の形態のペーパークラフトの組み立て方法について説明する。ペーパークラフトとして配布されるシート材１１は、図２に示すように一枚の平面状である。
【００５５】
シート材１１に設けられた台座部２、支柱部３、ジョイント部４及び人形模型１の各パート部（５，６，７，８）となる型紙は、点状に残されたアンカット部やミシン目によってシート材１１と繋がっている場合は、簡単に取り外すことができる。
【００５６】
取り外された各型紙の糊代３１，４３，５１，６４Ａ−６４Ｃ，７４Ａ−７４Ｅ，８５Ａ−８５Ｊ，８１３ａ，８１３ｂには、組み立てる際に糊などの接着剤を塗布することになる。
【００５７】
これに対して、糊代３１，４３，５１，６４Ａ−６４Ｃ，７４Ａ−７４Ｅ，８５Ａ−８５Ｊ，８１３ａ，８１３ｂに、予めアクリル系粘着剤などのシール用の糊を塗布した粘着層を設けておくことができる。
【００５８】
この場合は、ＵＶシリコーンなどのコーティング剤が塗布された剥離面となるシート材１１と同じ大きさのシートを重ねておき、型紙を切り抜いたときに粘着層が露出されるようにしておけばよい。
【００５９】
ペーパークラフトの組み立てに際しては、まず、図３に示すように、四角筒状のジョイント部４を製作する。ジョイント部４の突出部４１は、糊代４３を所定の位置に接着することによって組み立て、放射部４２は、突出部４１の各側面に対して直角となるようにそれぞれ折り曲げることによって形成される。
【００６０】
続いて、台座部２の上層２１の穴２１ａに突出部４１を下方から通し、放射部４２の上面を上層２１の下面に接触させる。さらに、上層２１の下面と中層２２の上面とを接着する。
【００６１】
このようにして台座部２に突出部４１を立てた後に、円筒状に組み立てられた支柱部３を突出部４１に挿し込む。そして、台座部２の中央に立てられた支柱部３に対して、図４に示すように、脚部５を挿し込む。
【００６２】
続いて、截頭円錐状に組み立てられた腰部６の挿通穴６１ａ，６３ａに支柱部３を通し、支柱部３に沿って腰部６を降ろしていく。腰部６が脚部５に近づいたら、脚部５の挿込片５２，５２を下面部６１のスリット６１ｂ，６１ｂに挿し込んで、脚部５と腰部６とを接続させる。
【００６３】
このようにして支柱部３に組み付けられた脚部５と腰部６は、支柱部３を中心に一体に回転させることができる。同様にして、図１に示すように、胸部７と頭部８とを支柱部３に挿し込ませる。
【００６４】
このようして組み付けられた胸部７と頭部８も、支柱部３を中心に回転させることができる。また、上周面部７２１のスリット７２２に挿込片７５１が挿し込まれる腕部７５は、自由な角度で広げることができる。
【００６５】
図７は、人形模型１が完成した状態の斜視図を示している。この図７に示した人形模型１の姿勢は一例であり、腰部６と胸部７との相対的な向き、胸部７と頭部８との相対的な向きは、好みの向きに自由に動かすことができる。
【００６６】
また、頭部８は、下面部８２の挿通穴８２ａが支柱部３に通されているだけなので、向きだけでなく支柱部３に対する傾きも好みの角度にすることができる。この際、腕部７５，７５を頭部８の下端が接触する角度に調整しておくことで、頭部８の傾きを安定させることができる。
【００６７】
また、毛髪部８３から上方に突出された保持片８１１ｂを押さえて操作片８１２ｂを上下に移動させることで、瞼部８１２ａ，８１２ａの露出量を調整して顔の表情を好みの表情にすることができる。
【００６８】
次に、本実施の形態のペーパークラフトであるシート材１１から製作される人形模型１の作用について説明する。
【００６９】
このように構成された本実施の形態のペーパークラフトは、台座部２に立てる円筒状の支柱部３に対して、人形模型１の各部位となる脚部５、腰部６、胸部７及び頭部８を挿し込んでいく。
【００７０】
このため、支柱部３に挿し込まれたパート部（５−８）は、支柱部３を中心にそれぞれ回転させることができる。すなわち、複数の部位（５−８）を１本の支柱部３を中心に回転させることができる。
【００７１】
複数の部位（５−８）の回転の中心が１本の支柱部３であれば、簡単に組み立てることができる。また、比較的に太くできる支柱部３を中心に回転させるため、可動に対する耐久性を高めることができる。
【００７２】
さらに、支柱部３と台座部２との間にジョイント部４を介在させることによって、回転動作などで支柱部３に外力が作用した場合にも倒れにくくすることができる。
【００７３】
例えば、胸部７を回転させる際に支柱部３に横方向の力が加わると、その力はまずジョイント部４に伝達される。このジョイント部４は、シート材１１によって形成されているので、伝達されてきた力を撓んで吸収させることができる。
【００７４】
すなわち、ジョイント部４が緩衝材となって台座部２に力が伝達されることになるので、人形模型１や支柱部３が倒れたり損傷したりすることを防ぐことができる。
【００７５】
特に、ジョイント部４の下端面を放射部４２にし、台座部２の穴２１ａに下方から通したジョイント部４の突出部４１に支柱部３を挿し込む構成であれば、台座部２の上層２１と中層２２とが軽く接着されているだけでも、支柱部３を安定させることができる。
【００７６】
また、腰部６、胸部７及び頭部８のそれぞれに、支柱部３の外径より僅かに大きい内径の挿通穴６１ａ，６３ａ，７１ａ，７３ａ，８２ａが設けられていれば、パート部（６−８）を動かしたいときにだけ回転させて、所望する姿勢で維持させておくことが容易にできる。
【００７７】
さらに、パート部（５−８）の一部を自分の好みに改変したり、自分で作成したパート部を加えたりする場合も、支柱部３に挿し込める挿通穴を設けておくだけで、簡単にオリジナルの立体模型にすることができる。
【００７８】
そして、頭部８の外殻の一面となる顔部８１を三層構造とし、最外層８１１の切抜部８１１ａ，８１１ａに対して露出量が調整可能な可動部８１２を挟む構成とすることで、下地層８１３に印刷された瞳に対する瞼部８１２ａ，８１２ａの開き具合を変化させて様々な表情を持たせることができる。
【００７９】
以上、図面を参照して、本発明の実施の形態を詳述してきたが、具体的な構成は、この実施の形態に限らず、本発明の要旨を逸脱しない程度の設計的変更は、本発明に含まれる。
【００８０】
例えば、前記実施の形態では、ペーパークラフトとして人形模型１を例に説明したが、これに限定されるものではなく、ロボット、動物、乗り物などの回転する箇所のあるペーパークラフトにも、本発明を適用することができる。
【００８１】
また、前記実施の形態では、ジョイント部４を介して台座部２と支柱部３とを接続させたが、これに限定されるものではなく、ジョイント部４を省略して支柱部を台座部に直接、接着させることもできる。
【００８２】
さらに、前記実施の形態では、顔部８１を三層構造として瞼部８１２ａ，８１２ａが上下に可動する構成としたが、これに限定されるものではなく、口が開閉したり、洋服の模様が変化したりする構成の三層構造とすることもできる。また、三層構造となる箇所を省略することもできる。
【符号の説明】
【００８３】
１              人形模型（立体模型）
１１            シート材
２              台座部
３              支柱部
４              ジョイント部
４１            突出部
４２            放射部
５              脚部（パート部）
６              腰部（パート部）
６１ａ，６３ａ  挿通穴
７              胸部（パート部）
７１ａ，７３ａ  挿通穴
８              頭部（パート部）
８１            顔部（外殻の一面）
８１１          最外層
８１１ａ        切抜部
８１２          可動部（中間層）
８１３          下地層
８２ａ          挿通穴
【図１】
0006401661.tif 000002
【図２】
0006401661.tif 000003
【図３】
0006401661.tif 000004
【図４】
0006401661.tif 000005
【図５】
0006401661.tif 000006
【図６】
0006401661.tif 000007
【図７】
0006401661.tif 000008